(57)【要約】【課題】従来のブックカバーにない機能を兼ね備えたカバーに改良する。【解決手段】本の表裏面を被覆するブックカバーにおいて、前記ブックカバーをがま口式又はバック式の部材に被覆かつ収納し、該被収納本の破損を防止するとともにアクセサリーの機能を兼ね備えることを特徴とする装飾兼備のブックカバーの提供にあり、更に前記がま口式又はブック式の被収納品をハンドバック又は手さげ袋に収納してなる携帯可能な装飾兼備のブックカバーの提供。【選択図】  図１
2004175065.tif 000002
【特許請求の範囲】
【請求項１】
本の表裏面を被覆するブックカバーにおいて、前記ブックカバーをがま口式又はバック式の部材に被覆かつ収納し、該被収納本の破損を防止するとともにアクセサリーの機能を兼ね備えることを特徴とする装飾兼備のブックカバー。
【請求項２】
前項の装飾兼備のブックカバーにおいて、前記がま口式又はバック式の被覆部材の内側左右縁面に本を差し込み保持する帯状の係止帯を設け、かつほぼ中央部にページ間に差し込むしおりを付設してなる請求項１記載の装飾兼備のブックカバー
【請求項３】
請求項１記載の装飾兼備のブックカバーにおいて、前記がま口式又はバック式の被覆収納部にノート・手帳・日記帳・住所録・電卓・筆記具等の携帯品を収納してなる請求項１記載の装飾兼備のブックカバー。
【請求項４】
請求項１記載の装飾兼備のブックカバーにおいて、前記がま口式又はバック式の止め金具に替えてチャックを用いてなる請求項１記載の装着兼備のブックカバー。
【請求項５】
請求項１記載の装飾兼備のブックカバーにおいて、前記がま口式又はブック式の被収納品をハンドバック又は手さげ袋に収納してなる携帯可能な請求項１乃至４記載の装飾兼備のブックカバー。
【発明の詳細な説明】
【０００１】
【発明に属する技術分野】
本発明はブックカバーに関するが、詳しくは単なる本を被覆するだけのカバーではあくアクセサリーなどの装飾を兼ね備えた装飾兼備のブックカバーに関するものである。
【０００２】
【従来の技術】
従来から一般的に使用されているブックカバーは、書店から購入された際にサービスとして装飾用紙にて被覆されている。具体的には、図９に示すように１枚の紙からなるブックカバー２０を本Ａの表紙２１と表裏紙２２に被覆するものである。この従来方式は、単に本Ａの表・裏表紙の汚れを防止する以外の機能は全くない方法によるブックカバー２０といえる。
【０００３】
【発明が解決しようとする課題】
このような従来方式によるブックカバーは、あくまでも本の表紙が汚れたり破損しないようにするためのカバーである。従って、本を保護するためにはよいが電車中などでの読書においては本の見開するには不安定であるばかり、外見や見ばえが悪く特に若い女性には敬遠されている。ここに、本発明が解決しようとする課題を有する。
【０００４】
【課題を解決するための手段】
本発明は上記の如き問題を解決するために開発したものであって、本の表裏面を被覆するブックカバーにおいて、前記ブックカバーをがま口式又はバック式の部材に被覆かつ収納し、該被収納本の破損を防止するとともにアクセサリーの機能を兼ね備えることを特徴とする装飾兼備のブックカバーの提供にあり、また前記装飾兼備のブックカバーにおいて前記がま口式又はバック式の被覆部材の内側左右縁面に本を差し込み保持する帯状の係止帯を設けかつほぼ中央部にページ間に差し込むしおりを付設してなる装飾兼備のブックカバーの提供にあり、また前記装飾兼備のブックカバーにおいて前記がま口式又はバック式の被覆収納部にノート・手帳・日記帳・住所録・電卓・筆記具等の携帯品を収納してなる装飾兼備のブックカバーの装飾兼備のブックカバーにおいて前記がま口式又はバック式の止め金具に替えてチャックを用いてなる装着兼備のブックカバーの提供にあり、更に前記装飾兼備のブックカバーにおいて前記がま口式又はブック式の被収納品をハンドバック又は手さげ袋に収納してなる携帯可能な装飾兼備のブックカバーの提供にある。
【０００５】
【発明の実施の形態】
本発明の実施形態は、本の表裏面を被覆するブックカバーにおいて前記ブックカバーをがま口式又はバック式の部材に被覆かつ収納し、該被収納本の破損を防止するとともにアクセサリーの機能を兼ね備えることを特徴とする装飾兼備のブックカバーであり、また前記装飾兼備のブックカバーにおいて前記がま口式又はバック式の被覆部材の内側左右縁面に本を差し込み保持する帯状の係止帯を設けかつほぼ中央部にページ間に差し込むしおりを付設してなる装飾兼備のブックカバーであるから、従来のブックカバーよりも破損防止には効果があるばかりか本を安定させて読書をすることが可能であり、更にアクセサリーなど装飾性を兼ね備えたブックカバーといえる。
【０００６】
また本発明の実施形態は、前記装飾兼備のブックカバーにおいて前記ががま口式又はバック式の被覆収納部にノート・手帳・日記帳・住所録・電卓・筆記具等の携帯品を収納してなる装飾兼備のブックカバーであるから、本以外の携帯品を収納させることができる。
【０００７】
また本発明の実施形態は、前記装飾兼備のブックカバーにおいて前記がま口式又はバック式の止め金具に替えてチャックを用いてなる装着兼備のブックカバーであるから、いかなる大きさや形状の本でも対応できるブックカバーにすることが可能となる。
【０００８】
更に本発明の実施形態は、前記装飾兼備のブックカバーにおいて前記がま口式又はブック式の被収納品をハンドバック又は手さげ袋に収納してなる携帯可能な装飾兼備のブックカバーであるから、単独のブックカバーとして使用する以外の収納袋に常時収納して携帯することができる。
【０００９】
【実施例】
以下、図面に従って本発明の実施例について説明する。
【００１０】
図１と図２は、本発明からなる装飾兼備のブックカバーを示したものであり、１はそのブックカバー本体である。このブックカバー本体１は、いわゆるがま口式のものであり、通常お金を入れるがま口と同様な形状のものである。本発明のがま口式のブックカバー本体１は、見開き式の皮製・布製・ビニール製などの素材の縁面に縁金具２を取り付け、中央部に止め金具３が取り付けられている。またブックカバー本体１の内側には本Ａの表紙を差し込みブックカバー本体１に本Ａを保持させる帯状の係止帯４が付設されている。なお、図中５は本Ａのページ間に差し込むしおりである。
【００１１】
次に、図３により本発明からなる装飾兼備のブックカバーの使用方法について説明すれば、まず本Ａのサイズに合ったブックカバー本体１を用意し、そのブックカバー本体１の両側の係止帯４に本Ａの表紙Ｂと表裏紙Ｃに差し込みブックカバー本体１内に本Ａを保持する。ついで、図１と図２示すように本Ａをブックカバー本体内１に装着する。この状態にすることによって、外観的に通常のがま口式のさいふと同様に見える。このような状態で携帯し電車の中などで本Ａを読みたい場合は、ブックカバー本体１の止め金３をひねって両側に開けば本Ａが両開きの状態になり、しおり５をつまみ上がれば所望個所からの読書が可能となる。そして、読書を止めたい場合はしおり５を差し込みブックカバー本体１を合わせて止め金具３を止じれば図２のような元のがま口式のさいふ状態に戻すことができる。
【００１２】
図４は本発明からなるブックカバーの他の実施例を示したものであり、いわゆるバック式のブックカバー本体１である。このハンドバック式のブックカバー本体１は、図１に示したがま口式のブックカバー本体１に手さげ６を取り付けたものである。このハンドバック式のブックカバー本体１は、ブック専用のハンドバックであり外観的には全く通常のハンドバックと同様に見えるが、中身は常時読みたい本を携帯しいつでも読めるように持ち歩くことができる。
【００１３】
図５は、本発明からなるブックカバーに取り付けられている止め金具の他の実施例を示したものである。その１つは金具製でワンタッチ式の止め金具７であり、もう一つはビニール製で止めボタン８である。
【００１４】
図６は、本発明からなるブックカバーに取り付けられている止め金具の他の実施例を示したものであり、チャックなどいわゆるファスナー８によるものである。
【００１５】
図７は、図２と図６に示したブックカバーを入れるためのハンドバックである。このハンドバック１０は、通常女性が身のまわりの小物などを入れて持ち搬ぶハンドバックであり、この中に本Ａを装着されているブックカバー本体１を入れて携帯し持ち搬ぶことによって、本Ａを破損させずしかも他の身のまわり品とごちゃまぜにならないよう本Ａを携帯することができる。
【００１６】
図８は、本発明からなるブックカバー本体の他の使用方法を示したものである。本発明のブックカバー本体１１は、洗面具入れケースと同様に手帳１２、電卓１３、定期１４、ペン１５などの必需品を携帯して持ち歩くことができる。従って、２つのブックカバーを準備して１つは本来のブックカバー本体１に他の１つは必需品携帯用のブックカバー本体１１として使用することができる。
【００１７】
【発明の効果】
本発明は、本の表裏面を被覆するブックカバーにおいて前記ブックカバーをがま口式又はバック式の部材に被覆かつ収納し、該被収納本の破損を防止するとともにアクセサリーの機能を兼ね備えることを特徴とする装飾兼備のブックカバーであり、また前記装飾兼備のブックカバーにおいて前記がま口式又はバック式の被覆部材の内側左右縁面に本を差し込み保持する帯状の係止帯を設けかつほぼ中央部にページ間に差し込むしおりを付設してなる装飾兼備のブックカバーであり、また前記装飾兼備のブックカバーにおいて前記がま口式又はバック式の被覆収納部にノート・手帳・日記帳・住所録・電卓・筆記具等の携帯品を収納してなる装飾兼備のブックカバーであり、また前記装飾兼備のブックカバーにおいて前記がま口式又はバック式の止め金具に替えてチャックを用いてなる装着兼備のブックカバーであり、更に前記装飾兼備のブックカバーにおいて前記がま口式又はブック式の被収納品をハンドバック又は手さげ袋に収納してなる携帯可能な装飾兼備のブックカバーであるから、次のような多くの効果を有する。
ア、本発明のブックカバーにすることによって、従来の単なるブックカバーとしての機能しかなかったものにアクセサリーなどの装飾性を兼ね備えたブックカバーを提供することが可能となる。
イ、また、従来方式では単に表紙の汚れを防ぐだけの機能しかなかったものを、確実で完全に本全体の破損を防ぐことが可能となる。
ウ、また、従来方式では表紙が固定されていないために読書中の安定性に欠けていたが、本発明のカバーにすれば安定された状態で読むことができるので読み易いばかりか目のためにもよい。
エ、更に、本発明によるブックカバーにすることによって電車通勤のＯＬなどの若い女性向けとしては、大変便利であるから実用性と装飾性を備えたブックカバーといえる。
【図面の簡単な説明】
【図１】本発明からなる装飾兼備のブックカバーを示した斜視図。
【図２】図１に示したブックカバーの外観を示した斜視図。
【図３】図１に示したブックカバー本体の使用状態を示した説明概要図。
【図４】本発明の他の実施例を示した説明概要図。
【図５】本発明の他の実施例を示した説明概要図。
【図６】本発明の他の実施例を示した説明概要図。
【図７】本発明の他の実施例を示した説明概要図。
【図８】本発明の他の実施例を示した説明概要図。
【図９】従来のブックカバー方式を示した斜視図。
【符号の説明】
１  ブックカバー本体            ２  縁金具
３  止め金具                    ４  係止帯
５  しおり                      ６  手さげ
７  止め金具                    ８  止めボタン
９  ファスナー                  １０  ハンドバック
１１  ブックカバー本体          １２  手帳
１３  電卓                      １４  定期
１５  ペン                      ２０  ブックカバー
２１  表紙                      ２２  表裏紙
Ａ  本                          Ｂ  表紙
Ｃ  裏表紙
【図１】
2004175065.tif 000003
【図２】
2004175065.tif 000004
【図３】
2004175065.tif 000005
【図４】
2004175065.tif 000006
【図５】
2004175065.tif 000007
【図６】
2004175065.tif 000008
【図７】
2004175065.tif 000009
【図８】
2004175065.tif 000010
【図９】
2004175065.tif 000011